(57)【要約】 【課題】  省スペース化を図る。【解決手段】  ハウジング２０の側壁２４における両外側面には、一対の基板固定部２５が突出して設けられている。ハウジング２０における図示左側の基板固定部２５Ｌは、図示右側の基板固定部２５Ｒよりも前方に配されている。基板１０上には、２つのハウジング２０Ｌ，２０Ｒがその幅方向に沿って並列した状態で固定されるようになっている。この状態では、隣り合う基板固定部２５ＬＲ，２５ＲＬが前後に並ぶ配置となっている。【選択図】  図３
2005142126.tif 000002
【特許請求の範囲】
【請求項１】
コネクタハウジングの側面から基板固定部が突出して設けられるとともに、前記コネクタハウジングをその幅方向に沿って複数並列した状態で基板に対して固定するものであって、
隣り合う基板固定部が前後に並ぶよう配されていることを特徴とする基板付き並列コネクタ。
【請求項２】
前記各コネクタハウジングが前後方向について互いに位置合わせした状態で前記基板に固定されるとともに、前記隣り合う基板固定部は、前記各コネクタハウジングの側面における配設位置が互いに前後に異なる設定とされていることを特徴とする基板付き並列コネクタ。
【請求項３】
前記コネクタハウジングの両側面に前記基板固定部を一対設けるようにし、両基板固定部が互いに前後に異なる位置に配されていることを特徴とする請求項１または請求項２記載の基板付き並列コネクタ。
【請求項４】
コネクタハウジングの側面から基板に固定するための基板固定部が突出して設けられるものにおいて、
前記基板固定部は、前記コネクタハウジングの両側面に一対設けられるとともに、互いに前後に異なる位置に配されていることを特徴とする基板用コネクタ。
【発明の詳細な説明】
【技術分野】
【０００１】
本発明は、基板付き並列コネクタ、及び基板用コネクタに関する。
【背景技術】
【０００２】
従来、基板用コネクタの一例として下記特許文献１に記載されたものが知られている。このものは、ハウジングの両側面に一対の基板固定部を張り出し形成し、その基板固定部に対してねじなどを締め付けることでハウジングを基板に対して固定できるようになっている。
【特許文献１】特開平６−２０３８９６号公報
【発明の開示】
【発明が解決しようとする課題】
【０００３】
上記のような基板用コネクタのハウジングを幅方向に沿って複数並列配置した状態で基板に対して固定する場合がある。例えば２つのハウジング１を並列配置すると、図６に示すように、隣り合う基板固定部２が幅方向に隣り合うように配されることになる。ところが、全体の幅方向の配設スペースＷ０が２つのハウジング１の幅寸法Ｗ０１を足し合わせた大きさに両ハウジング１間の隙間Ｗ０２を足した大きさとなって大きくなり勝ちであるため、幅方向について寸法制約がある場合には、ハウジング１を並列配置することができなかった。
本発明は上記のような事情に基づいて完成されたものであって、省スペース化を図ることを目的とする。
【課題を解決するための手段】
【０００４】
上記の目的を達成するための手段として、請求項１の発明に係る基板付き並列コネクタは、コネクタハウジングの側面から基板固定部が突出して設けられるとともに、前記コネクタハウジングをその幅方向に沿って複数並列した状態で基板に対して固定するものであって、隣り合う基板固定部が前後に並ぶよう配されている構成としたところに特徴を有する。
【０００５】
請求項２の発明は、請求項１に記載のものにおいて、前記各コネクタハウジングが前後方向について互いに位置合わせした状態で前記基板に固定されるとともに、前記隣り合う基板固定部は、前記各コネクタハウジングの側面における配設位置が互いに前後に異なる設定とされているところに特徴を有する。
請求項３の発明は、請求項１または請求項２に記載のものにおいて、前記コネクタハウジングの両側面に前記基板固定部を一対設けるようにし、両基板固定部が互いに前後に異なる位置に配されているところに特徴を有する。
【０００６】
請求項４の発明に係る基板用コネクタは、コネクタハウジングの側面から基板に固定するための基板固定部が突出して設けられるものにおいて、前記基板固定部は、前記コネクタハウジングの両側面に一対設けられるとともに、互いに前後に異なる位置に配されている構成としたところに特徴を有する。
【発明の効果】
【０００７】
＜請求項１の発明＞
隣り合う基板固定部が前後に並ぶよう配されているので、従来のように基板固定部が幅方向に並ぶ態様のものと比較すると、幅方向について配設スペースを小さくすることができる。
【０００８】
＜請求項２の発明＞
前後方向についても配設スペースを小さくすることができる。
＜請求項３の発明＞
両基板固定部を互いに前後に異なる位置に配するようにしたから、同じ構造のコネクタハウジングを並列配置することで、隣り合う基板固定部同士を前後に並ぶよう配することができる。つまり、コネクタハウジングが１種類で済むので低コスト化を図ることができる。
【０００９】
＜請求項４の発明＞
コネクタハウジングをその幅方向に沿って複数並列して配置するとき、隣り合う基板固定部同士を前後に並ぶよう配することができるから、従来のように基板固定部が幅方向に並ぶ形態のものと比較すると、幅方向について配設スペースを小さくすることができる。しかも、両基板固定部を互いに前後に異なる位置に配するようにしたから、同じ構造のコネクタハウジングを並列配置することで、隣り合う基板固定部同士を前後に並ぶよう配することができる。つまり、コネクタハウジングが１種類で済むので低コスト化を図ることができる。
【発明を実施するための最良の形態】
【００１０】
＜実施形態１＞
本発明の実施形態１を図１ないし図４によって説明する。本実施形態では、基板１０に対して２つの基板用コネクタＣをその幅方向に沿って並列した状態で固定するものを示す。基板用コネクタＣのコネクタハウジング２０（以下、単にハウジング２０という）には、タッピングねじＮを締め付け可能な基板固定部２５が一体形成されるとともに、図示しない相手の雌ハウジングが嵌合可能とされる。なお以下では、相手の雌ハウジングとの嵌合面側（図２の右側）を前方とし、また上下方向については、図３を除いた各図を基準とする。
【００１１】
ハウジング２０は、合成樹脂製とされ、図１及び図２に示すように、大まかには端子金具２１を保持可能な端子保持部２２と、端子保持部２２から前方へ突出するフード部２３と、端子保持部２２及びフード部２３から後方へ延出して形成される一対の側壁２４と、両側壁２４に設けられる一対の基板固定部２５とから構成されており、両側壁２４間には、端子金具２１を整列するためのアライメントプレート４０が挟み付けられるようにして装着可能とされている。
【００１２】
端子保持部２２は、全体が略ブロック状に形成されている。端子保持部２２には、端子金具２１を後方から挿入可能な端子挿入孔２６が前後に貫通して形成されている。端子挿入孔２６は、端子保持部２２において上下３段、幅方向に７室並んで配設されている。端子金具２１は、端子保持部２２から後方へ突出した部分を下方へ屈曲させることで全体がＬ字型に形成されている。端子金具２１のうち鉛直部分の下端部が、基板１０の接続孔１１内に挿入された状態で半田付けされることで基板１０にプリントされた導電路（図示せず）に対して導通接続可能な基板側接続部２１ａとされている。なお各端子挿入孔２６に挿入される端子金具２１は、上下各段毎に長さ寸法が異なっており、詳しくは上段側ほど水平部分及び鉛直部分の長さ寸法が大きくなる設定とされているので、上段側のものが下段側のものよりも鉛直部分が後側に配されている。
【００１３】
フード部２３は、端子保持部２２の周縁から外側に張り出してから前方へ突出する略角筒状に形成されている。フード部２３内には、端子金具２１の水平部分のうち端子保持部２２の前面（嵌合面）から前方へ突出したコネクタ側接続部２１ｂが配されるとともに、前方からは相手の雌ハウジングが嵌合可能とされている。コネクタ側接続部２１ｂは、雌ハウジング内に収容された雌端子金具（図示せず）と導通接続可能とされる。このフード部２３は、基板１０に対してハウジング２０を取り付けた状態において、基板１０の前端から前方へ突出した状態で配されるようになっている。
【００１４】
両側壁２４は、端子保持部２２及びフード部２３の後端両側縁から後方へ延出するとともに、縦方向に沿う側方視略方形の板状に形成されている。両側壁２４は、端子金具２１のうち端子保持部２２の後面から後方へ突出する部分のうち、基板側接続部２１ａを除いたほぼ全域を側方から覆うことができるような大きさに形成されることで、端子金具２１を保護できるようになっている。詳しくは、図３に示すように、側壁２４の上端位置は、上段の端子金具２１の上端面よりも上方に設定され、また側壁２４の後端位置は、上段の端子金具２１の後端面よりも後方に設定されている。両側壁２４の下端部（基板固定部２５と対応する高さ部分）における内側面には、ほぼ全長にわたって後方へ開口する凹部２７が形成されており、この凹部２７における長さ方向略中央には、装着したアライメントプレート４０を抜け止め状態に保持可能な保持部２８が内方へ突出して設けられている。両側壁２４の内側面における凹部２７の直上位置からは、内方へ張り出すとともに下方へ突出し、断面略Ｌ字型をなす被規制部２９が設けられている。また両側壁２４間における端子保持部２２の後面側には、端子金具２１を装着した状態で後方からシールのためのポッティング材（図示せず）が充填されるようになっているものの、両側壁２４の上縁部間を上方へ開口させているので、ポッティング材が硬化する過程でその内部に溜まりがちな空気を外部へ逃がし易くなっている。
【００１５】
アライメントプレート４０は、全体が幅方向（側壁２４と略直交する方向）に沿う略平板状に形成されている。アライメントプレート４０には、上下に貫通するとともに端子金具２１のうち基板側接続部２１ａを挿通可能な略円形をなす位置決め孔４１が端子金具２１と同数だけ設けられている。各位置決め孔４１は、基板１０に形成された各接続孔１１と整合する位置に配置されているので、挿入した基板側接続部２１ａを接続孔１１に対して位置決めできるようになっている。アライメントプレート４０は、両側壁２４間に下方から組み付けられるようになっており、その両側縁における長さ方向略中央には、側壁２４の保持部２８に対して係止可能な被保持部（図示せず）が外側方へ突出して設けられている。アライメントプレート４０の両側縁には、被保持部よりも外側方へ張り出すとともに上方へ突出し、略断面Ｌ字型をなす規制部４２が設けられている。規制部４２は、被保持部の前後に一対ずつ配され、組み付け時には側壁２４の凹部２７内に進入するとともに被規制部２９のうち凹部２７側を向いた側面に対して係合することで、両側壁２４が外側方へ開き変形するのを規制可能とされている。
【００１６】
両基板固定部２５は、図１及び図３に示すように、それぞれ両側壁２４の外側面から幅方向に沿って側方（外方）へ張り出して形成されている。基板固定部２５には、タッピングねじＮを締め付け可能なねじ締付孔３０が上下に貫通して形成されており、基板１０に穿設したねじ挿通孔１２に対して下方からタッピングねじＮを挿通するとともにねじ締付孔３０に螺合することで、ハウジング２０を基板１０に対して固定できるようになっている（図４）。また両基板固定部２５は、共に側壁２４における下端位置に配されるとともに高さ寸法が側壁２４の約１／３程度（凹部２７の形成範囲と同じ程度）の大きさに設定され、また側方への突出寸法が同じに設定されている。なお基板固定部２５は、基板１０に対するハウジング２０の固定位置やねじ挿通孔１２の配設位置に対応させるべく、端子保持部２２から後方へ延出させた側壁２４に配設されている。
【００１７】
さて、両基板固定部２５は、図３に示すように、両側壁２４の外側面における配設位置が互いに前後に異なる設定とされている。なお以下では、両基板固定部２５や両側壁２４について図３に示す左右を区別する場合には、図３の左側のものの符号に添え字Ｌを、同図右側のものの符号に添え字Ｒを付し、区別せずに総称する場合には符号に添え字を付さないものとする。詳しくは、図３の右側の側壁２４Ｒに配した基板固定部２５Ｒは、その後端位置が側壁２４Ｒの後端位置とほぼ同じに揃う位置に配されている。これに対し、同図左側の側壁２４Ｌに配した基板固定部２５Ｌは、その後端位置が右側の基板固定部２５Ｒの前端位置よりも少し前方に設定され、つまり右側の基板固定部２５Ｒに対して前方にずれた位置に配されている。
【００１８】
上記のような構造の基板用コネクタＣのハウジング２０は、２つ、互いの前端位置を揃えるとともに幅方向に沿って並列配置した状態で基板１０に固定されるようになっている。なお以下では図３に示す左右のハウジング２０を区別する場合には、同図左側のものの各符号に添え字Ｌを、同図右側のものの各符号に添え字Ｒを付し、区別せずに総称する場合には、各符号に添え字を付さないものとする。並列配置した状態では、図３の左側のハウジング２０Ｌにおける右側の基板固定部２５ＬＲと、同図右側のハウジング２０Ｒにおける左側の基板固定部２０ＲＬ、すなわち両ハウジング２０Ｌ，２０Ｒにおける互いに対向する側壁２４ＬＲ，２４ＲＬの外側面に設けられるとともに互いに隣り合う基板固定部２５ＬＲ，２５ＲＬは、前後に並ぶように（前後に対向するように）配される。この状態での両ハウジング２０Ｌ，２０Ｒにおける幅方向の配設スペースＷは、各ハウジング２０Ｌ，２０Ｒの幅寸法Ｗ１を足し合わせた大きさから、基板固定部２５ＬＲ，２５ＲＬの突出先端部間の距離Ｗ２（基板固定部ＬＲ，２５ＲＬの突出寸法Ｗ３から、基板固定部ＬＲ，２５ＲＬの突出先端部とその隣りの側壁２４ＲＬ，２４ＬＲとの間の隙間Ｗ４を差し引いた大きさ）を差し引いた大きさとほぼ等しくなっている。また基板１０における各ねじ挿通孔１２は、２つのハウジング２０Ｌ，２０Ｒの前後位置を揃えたときにおける各基板固定部２５のねじ締付孔３０に対応した位置に計４つ配設されている。
【００１９】
本実施形態は以上のような構造であり、続いてその作用を説明する。基板用コネクタＣの組み付けにあたっては、まず水平方向に沿って真っ直ぐな形態の端子金具２１を、ハウジング２０の後方から対応する端子挿入孔２６内に挿入した後、治具などを用いて端子金具２１のうち端子保持部２２から後方へ突出する部分を下方へほぼ直角に屈曲させる。全端子金具２１をハウジング２０に組み付け終えたら、続いてアライメントプレート４０を組み付ける作業を行う。各端子金具２１の基板側接続部２１ａを対応する位置決め孔４１内に挿入しつつ、両側壁２４間に下方からアライメントプレート４０を組み付けると、図１及び図２に示すように、被保持部が保持部２８に係止することでその抜け止めが図られるとともに、凹部２７内に規制部４２が進入してその内面が被規制部２９の内面に係止することで両側壁２４が幅方向に沿って開き変形するのが規制可能とされる。
【００２０】
続いてハウジング２０を基板１０に固定する作業を行う。ハウジング２０を基板１０の上に載せるとともに各基板固定部２５のねじ締付孔３０を基板１０の各ねじ挿通孔１２に整合させてから、インパクトレンチなどの電動工具を用いて、ねじ挿通孔１２に通したタッピングねじＮを締め付ける作業を行う。この締め付け時には、タッピングねじＮがねじ締付孔３０の内周面に食い付きつつ螺進することでねじ山が螺刻形成され、もってタッピングねじＮによりハウジング２０が基板１０に対して所望の位置に固定される。
【００２１】
上記のようにして２つのハウジング２０Ｌ，２０Ｒをそれぞれ基板１０に対して固定すると、図３及び図４に示すように、両ハウジング２０Ｌ，２０Ｒの前後位置がほぼ同じになるよう揃えられるとともに、互いに対向して隣り合う基板固定部２５ＬＲ，２５ＲＬが前後に並んだ配置となる。すなわち、互いに対向する両側壁２４ＬＲ，２４ＲＬ間に空けられるスペースに、隣り合う２つの基板固定部２５ＬＲ，２５ＲＬを前後にずらした状態で配するようにしたから、従来のように基板固定部２が幅方向に並ぶ態様のものと比較すると（図６参照）、基板固定部２５ＬＲ，２５ＲＬの突出寸法Ｗ３分だけ全体の幅方向の配設スペースＷを小さくすることができる。またこの状態では、両ハウジング２０Ｌ，２０Ｒにおける相手の雌ハウジングに対する嵌合面がほぼ面一に揃えられている。
【００２２】
その後、接続孔１１に挿入した基板側接続部２１ａを半田付けするとともに、両側壁２４間において端子保持部２２の後面側にポッティング剤を充填する作業を行った後、相手の雌ハウジングをフード部２３内にそれぞれ嵌合して両端子金具を接続する。
【００２３】
以上説明したように本実施形態によれば、隣り合う基板固定部２５ＬＲ，２５ＲＬが前後に並ぶよう配したから、従来のものと比較すると、幅方向についての配設スペースＷを小さくすることができる。これにより、幅方向について寸法制約がある場合でも２つのハウジング２０Ｌ，２０Ｒを並列して配置することが可能となる。
【００２４】
しかも、２つのハウジング２０Ｌ，２０Ｒを前後方向について互いに位置決めした状態で基板１０に対して固定するとともに、隣り合う基板固定部２５ＬＲ，２５ＲＬの各ハウジング２０Ｌ，２０Ｒの側面における配設位置が互いに前後に異なる設定とされているから、仮に同じ構造のハウジングの前後位置をずらして配置することで隣り合う基板固定部が前後に並ぶよう配された場合と比較して、前後方向について配設スペースを小さくすることができる。
【００２５】
さらには、ハウジング２０の両側面に一対の基板固定部２５Ｌ，２５Ｒを設けるとともに、両基板固定部２５Ｌ，２５Ｒが互いに前後に異なる位置に配されているから、同じ構造の２つのハウジング２０を前後位置を揃えた状態で並列配置することで、隣り合う基板固定部２５ＬＲ，２５ＲＬを前後に並ぶよう配することができる。つまり、ハウジング２０が１種類で済むので低コスト化を図ることができる。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態において、ハウジングに位置決め用の突起を設けてその突起を基板に設けた位置決め凹部に嵌めることで、基板固定部のねじ締付孔と基板のねじ挿通孔とを整合させるようにしてもよい。
【００２７】
（２）上記した実施形態では、ハウジングに設けた一対の基板固定部が前後に異なる位置に配される場合を示したが、前後位置を同じにしたものも本発明に含まれる。詳しくは、図５に示すように、一対の基板固定部２５Ａを側壁２４Ａの後端部に配したハウジング２０Ａと、一対の基板固定部２５Ｂを側壁２４Ｂの後端部よりも前側位置に配したハウジング２０Ｂとの２種類を作成するとともに、３つのハウジング２０Ａ，２０Ｂを前後位置を揃えた状態で並列配置することで、隣り合う基板固定部２５Ａ，２５Ｂが前後に並ぶよう配するようにしてもよい。また１種類のハウジングのみを作成し、各ハウジングを前後位置をずらした状態で並列配置するようにしてもよい。
【００２８】
（３）基板固定部の数や形状などについては任意に変更可能である。また基板固定部をハウジングの側壁以外の部位に配するようにしてもよい。
（４）ハウジングを４つ以上並列配置するものも本発明に含まれる。
（５）基板固定部に対するねじ止め手段としては、タッピングねじ以外にも例えばボルトとナットを用いるようにしてもよい。
（６）上記した実施形態では、端子金具を半田付けにより基板に接続するものを示したが、基板に基板側接続部を圧入して接続する、いわゆるプレスフィット端子を用いたものにも本発明は適用可能である。また端子金具の形態は、略Ｌ字型のものに限らず、ストレート型のものを用いたコネクタにも本発明は適用可能である。また相手のハウジングに雄端子金具を設けたものであって、コネクタ側接続部を雌型に形成したものにも本発明は適用可能である。
【図面の簡単な説明】
【００２９】
【図１】本発明の実施形態１に係る基板用コネクタの斜視図
【図２】基板用コネクタにおける図３のＸ−Ｘ線断面図
【図３】幅方向に並列した基板用コネクタを基板に固定した状態を示す平面図
【図４】図３のＹ−Ｙ線断面図
【図５】他の実施形態に係る幅方向に並列した基板用コネクタを基板に固定した状態を示す平面図
【図６】従来例の説明図
【符号の説明】
【００３０】
１０…基板
２０（２０Ｌ，２０Ｒ，２０Ａ，２０Ｂ）…ハウジング（コネクタハウジング）
２５（２５ＬＲ，２５ＲＬ，２５Ａ，２５Ｂ）…基板固定部
Ｃ…基板用コネクタ
【図１】
2005142126.tif 000003
【図２】
2005142126.tif 000004
【図３】
2005142126.tif 000005
【図４】
2005142126.tif 000006
【図５】
2005142126.tif 000007
【図６】
2005142126.tif 000008